(57)【要約】【課題】情報の受信を通知する態様を切り換えられる無線通信端末を提供する。【解決手段】無線通信端末１００は、情報を受信する受信部１１０と、無線通信端末１００における時刻を計測して当該時刻を表わす情報を生成する計時部１２０と、無線通信端末１００に予め規定された動作を実行させるために使用されるデータを格納する記憶部１３０と、受信部１１０によって受信された情報に基づいて、受信部１１０によって情報が受信されたことを通知する通知部１６０と、情報を受信したことを通知する態様を切り換えるための制御データを取得する取得部１４０と、制御データに基づいて通知部１６０を作動させる通知制御部１５０とを備える。【選択図】図１
2008099000.tif 000002
【特許請求の範囲】
【請求項１】
情報を受信する受信手段と、
情報の受信を通知する通知手段と、
前記受信手段によって受信された情報に基づいて、前記通知手段による通知の態様を切り換えるための制御データを取得する取得手段と、
前記取得手段によって取得された前記制御データに基づいて、前記通知手段を作動させる通知制御手段とを備える、無線通信端末。
【請求項２】
前記無線通信端末は、
時刻を計測する計時手段と、
前記情報が受信されたときから経過した時間に応じた前記通知の態様を規定する複数の定義データを格納する記憶手段とをさらに備え、
前記取得手段は、前記情報が前記受信手段によって受信された時から経過した時間に応じて、前記記憶手段から前記定義データを取得し、
前記通知制御手段は、前記定義データに基づいて前記通知の態様を変更する指令を前記通知手段に送出する、請求項１に記載の無線通信端末。
【請求項３】
前記受信手段は、電話の着信を受け、
前記無線通信端末は、通話の相手を識別する識別データと、前記識別データによって識別される相手から着信を受けたときの前記通知手段による通知の動作を規定する優先度とを格納する記憶手段をさらに備え、
前記取得手段は、前記着信が受けられた電話から前記識別データを取得し、かつ、取得された前記識別データを用いて前記記憶手段に格納されている前記識別データを検索することにより、前記着信が受けられた電話についての前記優先度を取得し、
前記通知制御手段は、取得された前記優先度に応じて予め規定された動作を前記通知手段に実行させる、請求項１に記載の無線通信端末。
【請求項４】
前記受信手段は、電子メールを受信し、
前記無線通信端末は、電子メールの送信者を識別する識別データと、前記識別データによって識別される相手から電子メールを受信したときの前記通知手段による通知の動作を規定する優先度とを格納する記憶手段をさらに備え、
前記取得手段は、前記受信手段によって受信された電子メールの送信者を特定する送信者データを取得し、かつ、取得した前記送信者データを用いて前記記憶手段に格納されている前記識別データを検索することにより、受信された前記電子メールについての前記優先度を取得し、
前記通知制御手段は、取得された前記優先度に応じて予め規定された動作を前記通知手段に実行させる、請求項１に記載の無線通信端末。
【請求項５】
前記受信手段は、電子メールを受信し、
前記無線通信端末は、前記受信手段によって受信される電子メールを区分するために予め入力された文字を格納する記憶手段と、
前記記憶手段に格納されている文字に基づいて、前記受信手段によって受信された電子メールに前記文字が含まれているか否かを確認する確認手段とをさらに備え、
前記取得手段は、前記文字が前記受信された電子メールに含まれていることが確認された場合に、前記受信された電子メールから前記文字を取得し、
前記通知制御手段は、前記文字に応じて予め規定された動作を前記通知手段に実行させる、請求項１に記載の無線通信端末。
【請求項６】
前記通知手段は、音声を出力する音声出力手段を含み、
前記通知制御手段は、前記制御データに基づいて、前記音声出力手段による音声の出力パターンを変更させる、請求項１に記載の無線通信端末。
【請求項７】
複数の音声を出力するための複数の音声データと、予め入力された前記制御データとを格納する記憶手段をさらに備え、各前記音声データの各々の出力順序は予め規定されており、各前記音声データは前記制御データに関連付けられており、
前記通知制御手段は、前記各々の出力順序と各前記音声データとに基づいて、前記音声出力手段から発せられる音声を変更する、請求項６に記載の無線通信端末。
【請求項８】
前記制御データに応じて音量を変更するための調整データを格納する記憶手段をさらに備え、
前記通知制御手段は、前記調整データに基づいて、前記音声出力手段から発せられる音声の音量を変更する、請求項６に記載の無線通信端末。
【請求項９】
前記通知手段は、光を発する発光手段を含み、
前記通知制御手段は、前記制御データに基づいて、前記発光手段の発光パターンを変更させる、請求項１に記載の無線通信端末。
【請求項１０】
前記発光手段による光の点滅の速度を変更するための調整データを格納する記憶手段をさらに備え、
前記通知制御手段は、前記調整データに基づいて、前記発光手段による光の点滅の速度を変更させる、請求項９に記載の無線通信端末。
【請求項１１】
前記発光手段は、複数色の各々を発光可能であり、
前記無線通信端末は、予め入力された制御データを格納する記憶手段をさらに備え、前記発光手段によって色が発光される順序は予め規定されており、前記順序は前記予め入力された制御データに関連付けられており、
前記通知制御手段は、前記順序に従って前記発光手段により発せられる色を変更する、請求項９に記載の無線通信端末。
【請求項１２】
前記通知手段は、画像を表示する表示手段を含み、
前記通知制御手段は、前記制御データに基づいて、前記情報を受信したことを通知する画像の表示を前記表示手段に変更させる、請求項１に記載の無線通信端末。
【請求項１３】
前記制御データに応じて前記表示手段に表示される複数の画像の各々を表示するための複数の画像データを格納する記憶手段をさらに備え、各前記画像の表示順序は前記制御データに応じて予め規定されており、
前記通知制御手段は、各前記画像データに基づいて、各前記画像の表示を前記表示手段に切り換えさせる、請求項１２に記載の無線通信端末。
【請求項１４】
前記通知手段は、振動を発する振動手段を含み、
前記通知制御手段は、前記制御データに基づいて、前記振動手段による振動のパターンを変更させる、請求項１に記載の無線通信端末。
【請求項１５】
前記制御データに応じて前記振動のパターンを規定するためのパターンデータを格納する記憶手段をさらに備え、
前記通知制御手段は、前記パターンデータに基づいて前記振動手段による前記振動を変更する、請求項１４に記載の無線通信端末。
【請求項１６】
前記振動のパターンは、前記振動の周期と、前記振動の振幅とのいずれかを含む、請求項１４に記載の無線通信端末。
【請求項１７】
前記無線通信端末の通信相手を識別するデータと、前記通信相手に返信すべきか否かを規定する返信制御データとを格納する記憶手段と、
前記受信手段によって受信された情報の送信者を識別するデータを取得する識別データ取得手段と、
前記情報の送信者を識別するデータと、前記通信相手を識別するデータと、前記返信制御データとに基づいて、前記情報の送信者に返信すべきか否かを判断する判断手段と、
前記情報の送信者に返信すべきことが前記判断手段によって判断された場合に、前記情報の送信者に返信すべきことを前記通知手段に通知させる返信制御手段とをさらに備える、請求項１に記載の無線通信端末。
【請求項１８】
前記通知手段は、音声を出力する音声出力手段を含み、
前記無線通信端末は、返信が必要であることを通知するために予め準備された音声データを格納する音声データ記憶手段をさらに備え、
前記返信制御手段は、前記音声データに基づいて、前記返信が必要であることを通知する音声を前記音声出力手段に出力させる、請求項１７に記載の無線通信端末。
【請求項１９】
前記通知手段は、光を発する発光手段を含み、
前記返信制御手段は、返信が必要であることを通知するために予め規定されたパターンで発光する命令を前記発光手段に送出する、請求項１７に記載の無線通信端末。
【請求項２０】
前記通知手段は、画像を表示する表示手段を含み、
前記無線通信端末は、返信が必要であることを表わす画像を表示するための画像データを格納する記憶手段をさらに備え、
前記返信制御手段は、前記画像データに基づいて、前記返信が必要であることを表わす画像を前記表示手段に表示させる、請求項１７に記載の無線通信端末。
【請求項２１】
前記通知手段は、振動を発する振動手段を含み、
前記返信制御手段は、返信が必要であることを通知するために予め規定されたパターンで振動する命令を前記振動手段に送出する、請求項１７に記載の無線通信端末。
【請求項２２】
無線通信端末を制御するプログラムであって、前記無線通信端末は、情報の受信を通知するための通知装置を備え、前記プログラムは前記無線通信端末に、
情報を受信するステップと、
受信された前記情報に基づいて、前記情報の受信を通知する態様を切り換えるための制御データを取得するステップと、
取得された前記制御データに基づいて、前記情報の受信を通知する動作を実行するための信号を前記通知装置に与えるステップとを実行させる、無線通信端末を制御するプログラム。
【発明の詳細な説明】
【技術分野】
【０００１】
本発明は無線通信端末による受信の通知に関し、特に、情報の受信を通知する態様を切り換える無線通信端末および無線通信端末を制御するプログラムに関する。
【背景技術】
【０００２】
携帯電話は、電話の着信を受けると、あるいは電子メールを受信すると、予め規定された設定に従って、その着信あるいは受信を通知する。
【０００３】
着信の通知に関し、たとえば、特開２００１−３２６７１６号公報（特許文献１）は、呼び出されたものが応答しないために途中放棄された着信呼の重要度を判断する技術を開示している。
【０００４】
また、特開２００１−３４５９１８号公報（特許文献２）は、不在着信の表示を使用者に容易に通知できる電話機を開示している。
【０００５】
さらに、特開２０００−３２１７５号公報（特許文献３）は、データを受信してから経過した時間と共に表示の形態を変更する表示器を有する通信端末装置を開示している。
【特許文献１】特開２００１−３２６７１６号公報
【特許文献２】特開２００１−３４５９１８号公報
【特許文献３】特開２０００−３２１７５号公報
【発明の開示】
【発明が解決しようとする課題】
【０００６】
しかしながら、特開２００１−３２６７１６号公報に開示された技術によると、その判断は、電話機による通話を中継する中継局によって実現される。そのため、電話機は、その判断を行なうことができなかった。
【０００７】
また、特開２００１−３４５９１８号公報に開示された技術によると、着信を通知することができても、着信の態様を切り換えて通知することができなかった。
【０００８】
さらに、特開２０００−３２１７５号公報に開示された技術によると、データの受信の報知の切り換えは、一律に行なわれるため、データの受信者は、そのデータの重要性を結いに判断できないという問題があった。
【０００９】
本発明は、上述の問題点を解決するためになされたものであって、その目的は、重要性が異なるデータの各々の受信を容易に通知できる無線通信端末を提供することである。
【００１０】
本発明の他の目的は、データを受信したことを受信者に直感的に理解させ得る無線通信端末を提供することである。
【００１１】
本発明の他の目的は、重要性が異なるデータの各々の受信を容易に通知するように無線通信端末を制御するプログラムを提供することである。
【００１２】
本発明のさらに他の目的は、データを受信したことを受信者に直感的に理解させ得るように無線通信端末を制御するプログラムを提供することである。
【課題を解決するための手段】
【００１３】
上記の課題を解決するために、この発明のある局面に従う無線通信端末は、情報を受信する受信手段と、情報の受信を通知する通知手段と、受信手段によって受信された情報に基づいて、通知手段による通知の態様を切り替えるための制御データを取得する取得手段と、取得手段によって取得された制御データに基づいて、通知手段を作動させる通知制御手段とを備える。
【００１４】
好ましくは、無線通信端末は、時刻を計測する計時手段と、情報が受信されたときから経過した時間に応じた通知の態様を規定する複数の定義データを格納する記憶手段とをさらに備える。取得手段は、情報が受信手段によって受信された時から経過した時間に応じて、記憶手段から定義データを取得する。通知制御手段は、定義データに基づいて通知の態様を変更する指令を通知手段に送出する。
【００１５】
好ましくは、受信手段は、電話の着信を受ける。無線通信端末は、通話の相手を識別する識別データと、識別データによって識別される相手から着信を受けたときの通知手段による通知の動作を規定する優先度とを格納する記憶手段をさらに備える。取得手段は、着信が受けられた電話から識別データを取得し、かつ、取得された識別データを用いて記憶手段に格納されている識別データを検索することにより、着信が受けられた電話についての優先度を取得する。通知制御手段は、取得された優先度に応じて予め規定された動作を通知手段に実行させる。
【００１６】
好ましくは、受信手段は、電子メールを受信する。無線通信端末は、電子メールの送信者を識別する識別データと、識別データによって識別される相手から電子メールを受信したときの通知手段による通知の動作を規定する優先度とを格納する記憶手段をさらに備える。取得手段は、受信手段によって受信された電子メールの送信者を特定する送信者データを取得し、かつ、取得した送信者データを用いて記憶手段に格納されている識別データを検索することにより、受信された電子メールについての優先度を取得する。通知制御手段は、取得された優先度に応じて予め規定された動作を通知手段に実行させる。
【００１７】
好ましくは、受信手段は、電子メールを受信する。無線通信端末は、受信手段によって受信される電子メールを区分するために予め入力された文字を格納する記憶手段と、記憶手段に格納されている文字に基づいて、受信手段によって受信された電子メールに文字が含まれているか否かを確認する確認手段とをさらに備える。取得手段は、文字が受信された電子メールに含まれていることが確認された場合に、受信された電子メールから文字を取得する。通知制御手段は、文字に応じて予め規定された動作を通知手段に実行させる。
【００１８】
好ましくは、通知手段は、音声を出力する音声出力手段を含む。通知制御手段は、制御データに基づいて、音声出力手段による音声の出力パターンを変更させる。
【００１９】
好ましくは、無線通信端末は、複数の音声を出力するための複数の音声データと、予め入力された制御データとを格納する記憶手段をさらに備える。各音声データの各々の出力順序は予め規定されている。各音声データは制御データに関連付けられている。通知制御手段は、各々の出力順序と各音声データとに基づいて、音声出力手段から発せられる音声を変更する。
【００２０】
好ましくは、無線通信端末は、制御データに応じて音量を変更するための調整データを格納する記憶手段をさらに備える。通知制御手段は、調整データに基づいて、音声出力手段から発せられる音声の音量を変更する。
【００２１】
好ましくは、通知手段は、光を発する発光手段を含む。通知制御手段は、制御データに基づいて、発光手段の発光パターンを変更させる。
【００２２】
好ましくは、無線通信手段は、発光手段による光の点滅の速度を変更するための調整データを格納する記憶手段をさらに備える。通知制御手段は、調整データに基づいて、発光手段による光の点滅の速度を変更させる。
【００２３】
好ましくは、発光手段は、複数色の各々を発光可能である。無線通信端末は、予め入力された制御データを格納する記憶手段をさらに備える。発光手段によって色が発光される順序は予め規定されている。順序は予め入力された制御データに関連付けられている。通知制御手段は、順序に従って発光手段により発せられる色を変更する。
【００２４】
好ましくは、通知手段は、画像を表示する表示手段を含む。通知制御手段は、制御データに基づいて、情報を受信したことを通知する画像の表示を表示手段に変更させる。
【００２５】
好ましくは、無線通信端末は、制御データに応じて表示手段に表示される複数の画像の各々を表示するための複数の画像データを格納する記憶手段をさらに備える。各画像の表示順序は制御データに応じて予め規定されている。通知制御手段は、各画像データに基づいて、各画像の表示を表示手段に切り替えさせる。
【００２６】
好ましくは、通知手段は、振動を発する振動手段を含む。通知制御手段は、制御データに基づいて、振動手段による振動のパターンを変更させる。
【００２７】
好ましくは、無線通信端末は、制御データに応じて振動のパターンを規定するためのパターンデータを格納する記憶手段をさらに備える。通知制御手段は、パターンデータに基づいて振動手段による振動を変更する。
【００２８】
好ましくは、振動のパターンは、振動の周期と、振動の振幅とのいずれかを含む。
好ましくは、無線通信端末は、無線通信端末の通信相手を識別するデータと、通信相手に返信すべきか否かを規定する返信制御データとを格納する記憶手段と、受信手段によって受信された情報の送信者を識別するデータを取得する識別データ取得手段と、情報の送信者を識別するデータと、通信相手を識別するデータと、返信制御データとに基づいて、情報の送信者に返信すべきか否かを判断する判断手段と、情報の送信者に返信すべきことが判断手段によって判断された場合に、情報の送信者に返信すべきことを通知手段に通知させる返信制御手段とをさらに備える。
【００２９】
好ましくは、通知手段は、音声を出力する音声出力手段を含む。無線通信端末は、返信が必要であることを通知するために予め準備された音声データを格納する音声データ記憶手段をさらに備える。返信制御手段は、音声データに基づいて、返信が必要であることを通知する音声を音声出力手段に出力させる。
【００３０】
好ましくは、通知手段は、光を発する発光手段を含む。返信制御手段は、返信が必要であることを通知するために予め規定されたパターンで発光する命令を発光手段に送出する。
【００３１】
好ましくは、通知手段は、画像を表示する表示手段を含む。無線通信端末は、返信が必要であることを表わす画像を表示するための画像データを格納する記憶手段をさらに備える。返信制御手段は、画像データに基づいて、返信が必要であることを表わす画像を表示手段に表示させる。
【００３２】
好ましくは、通知手段は、振動を発する振動手段を含む。返信制御手段は、返信が必要であることを通知するために予め規定されたパターンで振動する命令を振動手段に送出する。
【００３３】
この発明の他の局面に従うと、無線通信端末を制御するプログラムが提供される。無線通信端末は、情報の受信を通知するための通知装置を備える。このプログラムは無線通信端末に、情報を受信するステップと、受信された情報に基づいて、情報の受信を通知する態様を切り替えるための制御データを取得するステップと、取得された制御データに基づいて、情報の受信を通知する動作を実行するための信号を通知装置に与えるステップとを実行させる。
【発明の効果】
【００３４】
本発明に係る無線通信端末によると、重要性が異なるデータの各々の受信を容易に通知することができる。また、他の局面に従う無線通信端末によると、データを受信したことを受信者に直感的に理解させることができる。その結果、無線通信端末の利便性が向上し得る。
【発明を実施するための最良の形態】
【００３５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３６】
＜第１の実施の形態＞
図１を参照して、本発明の第１の実施の形態に係る無線通信端末１００の構成について説明する。図１は、無線通信端末１００によって実現される機能の構成を表わすブロック図である。無線通信端末１００は、受信部１１０と、計時部１２０と、記憶部１３０と、取得部１４０と、通知制御部１５０と、通知部１６０とを備える。
【００３７】
受信部１１０は、情報を受信する。好ましくは受信部１１０は、電話の着信を受ける。他の局面においては、受信部１１０は、電子メールを受信する。さらに他の局面において、受信部１１０は、位置を測定するための情報を受信する。この情報は、たとえばＧＰＳ（Global Positioning System）衛星その他の衛星航法システムを構成する衛星から発信された信号である。当該信号は、たとえばエフェメリス、アルマナックその他の位置を特定するための情報を含む。
【００３８】
計時部１２０は、無線通信端末１００における時刻を計測し、当該時刻を表わす情報を生成する。
【００３９】
記憶部１３０は、無線通信端末１００に予め規定された動作を実行させるために使用されるデータを格納する。より特定的には、記憶部１３０は、受信部１１０によって情報が受信されたときから経過した時間に応じた当該受信の態様を規定するための複数の定義データを格納する。
【００４０】
通知部１６０は、受信部１１０によって情報が受信されたことを通知する。取得部１４０は、受信部１１０によって受信された情報に基づいて通知部１６０による通知の態様を切り換えるための制御データを取得する。通知制御部１５０は、取得部１４０によって取得された制御データに基づいて通知部１６０を作動させる。
【００４１】
好ましくは、取得部１４０は、情報が受信部１１０によって受信されたときから経過した時間に応じて記憶部１３０から当該定義データを取得する。通知制御部１５０は、その定義データに基づいて通知部１６０による通知の態様を変更する命令を通知部１６０に送出する。
【００４２】
この局面において、記憶部１３０は、無線通信端末１００による通話の相手を識別するための識別データと、当該識別データによって識別される相手から着信を受けたときの通知部１６０による通知の動作を規定する優先度とを格納する。識別データと当該優先度とは相互に関連付けられている。
【００４３】
取得部１４０は、その着信の受けられた電話から当該識別データを取得し、かつ、取得された識別データを用いて記憶部１３０に格納されている識別データを検索することにより、着信が受けられた電話についての優先度を取得する。通知制御部１５０は、取得された優先度に応じて予め規定された動作を通知部１６０に実行させる。当該優先度に応じて予め規定された動作については、後述する。
【００４４】
他の局面において、記憶部１３０は、電子メールの送信者を識別するための識別データと、当該識別データによって識別される相手から電子メールを受信したときの通知部１６０による通知の動作を規定する優先度とを格納している。当該識別データと優先度とは相互に関連付けられている。取得部１４０は、受信部１１０によって受信された電子メールの送信者を特定するための送信者データを取得し、かつ、取得した送信者データを用いて記憶部１３０に格納されている識別データを検索することにより、受信された電子メールについての優先度を取得する。通知制御部１５０は、取得された優先度に応じて予め規定された動作を通知部１６０に実行させる。
【００４５】
他の局面において、記憶部１３０は、受信部１１０によって受信される電子メールを区分するために予め入力された文字列のデータを格納している。取得部１４０は、記憶部１３０に格納されている当該文字列に基づいて、受信部１１０によって受信された電子メールにその文字列が含まれているか否かを確認する。たとえば、取得部１４０は、各文字似対応するコードを比較することにより、特定の文字列の存在を確認する。さらに、取得部１４０は、その文字列が当該受信された電子メールに含まれていることが確認されると、その電子メールから文字列を取得する。通知制御部１５０は、その文字列に応じて予め規定された動作を通知部１６０に実行させる。
【００４６】
好ましくは、通知部１６０は、音声を出力するスピーカを含む。通知部１６０は、上記制御データに基づいて、スピーカによる音声の出力パターンを変更させる。ここで、音声の出力パターンは、発せられる音声の高低および強弱の少なくともいずれかを含む。
【００４７】
他の局面において、記憶部１３０は、複数の音声を出力するための複数の音声データと、予め入力された制御データとを格納する。各音声データの出力順序は予め規定されている。各音声データは当該制御データに関連付けられている。通知制御部１５０は、各々の出力順序と各音声データとに基づいて、スピーカから発せられる音声を変更する。なお、音声の出力は、スピーカに限られず、たとえば、ヘッドホンのジャックの装着を受け付ける端子であってもよい。
【００４８】
他の局面において、記憶部１３０は、上記制御データに応じて音量を変更するための調整データを格納する。通知制御部１５０は、その調整データに基づいて、スピーカから発せられる音声の音量を変更する。
【００４９】
他の局面において、無線通信端末１００は、光を発することにより、情報の受信を通知することができる。この場合、通知部１６０は、光を発する発光部として実現される。通知制御部１５０は、上記制御データに基づいて、当該発光部の発光パターンを変更させる。
【００５０】
他の局面において、記憶部１３０は、当該発光部による光の点滅の速度を変更するための調整データを格納している。通知制御部１５０は、その調整データに基づいて、発光部による光の点滅の速度を変更させる。
【００５１】
好ましくは、発光部は、複数色の各々を発光することができる。記憶部１３０は、予め入力された制御データを格納しており、当該制御データは、発光部によって色が発光される順序に予め関連付けられている。通知制御部１５０は、発光部により発せられる色を、その順序に従って変更する。
【００５２】
さらに他の局面において、通知部１６０は、画像を表示する表示部を含む。たとえば、表示部は、液晶ディスプレイあるいは有機ディスプレイとして実現される。通知制御部１５０は、上記制御データに基づいて無線通信端末１００が情報を受信したことを通知するための画像の表示を当該表示部に変更させる。
【００５３】
好ましくは、記憶部１３０は、上記制御データに応じて表示部に表示される複数の画像の各々を表示するための複数の画像データを格納している。各画像の表示順序は、上記制御データに応じて予め規定されている。通知制御部１５０は、各画像データに基づいて、各画像の表示を当該表示部に切り換えさせる。
【００５４】
他の局面において、通知部１６０は、振動を発する振動部を含む。通知制御部１５０は、上記制御データに基づいて当該振動部による振動のパターンを変更させる。
【００５５】
好ましくは、記憶部１３０は、上記制御データに応じて振動のパターンを規定するためのパターンデータを格納している。通知制御部１５０は、そのパターンデータに基づいて、振動部による振動を変更する。なお、振動のパターンは、振動の周期と振動の振幅との少なくともいずれかを含む。
【００５６】
さらに他の局面において、本実施の形態に係る無線通信端末１００は、受信した情報に対する返信を促す機能を有する。具体的には、記憶部１３０は、無線通信端末１００の通信相手を識別するためのデータと、当該通信相手に返信するべきか否かを提示する返信制御データとを格納している。取得部１４０は、受信部１１０によって受信された情報（たとえば、電子メール）の送信者を識別するデータ（たとえば、送信者のメールアドレス）を取得する。取得部１４０は、さらに、当該情報の送信者を識別するデータと、通信相手を識別するデータと、上記返信制御データとに基づいて、情報の送信者に返信すべきか否かを判断する。通知制御部１５０は、その情報の送信者に返信すべきことが取得部１４０によって判断された場合に、その情報の送信者に返信すべきことを通知部１６０に通知させる。
【００５７】
好ましくは、記憶部１３０は、返信が必要であることを通知するために予め準備された音声データを格納している。通知制御部１５０は、その音声データに基づいて、返信が必要であることを通知する音声を、通知部１６０に出力させる。
【００５８】
他の局面において、通知制御部１５０は、返信が必要であることを通知するために予め規定されたパターンで発光する命令を、発光部として機能する通知部１６０に送出する。
【００５９】
好ましくは、記憶部１３０は、返信が必要であることを表わす画像を表示するための画像データを格納している。通知制御部１５０は、その画像データに基づいて返信が必要であることを表わす画像を、表示部として機能する通知部１６０に表示させる。
【００６０】
さらに他の局面においては、通知制御部１５０は、返信が必要であることを通知するために予め規定されたパターンで振動する命令を、振動部として機能する通知部１６０に送出する。
【００６１】
図２を参照して、本実施の形態に係る無線通信端末１００の具体的構成について説明する。図２は、無線通信端末１００の一態様である携帯電話２００のハードウェア構成を表わすブロック図である。携帯電話２００は、アンテナ２０８と、通信装置２０２と、ＣＰＵ（Central Processing Unit）２１０と、操作ボタン２２０と、カメラ２４０と、フラッシュメモリ２４４と、ＲＡＭ（Random Access Memory）２４６と、データ用ＲＯＭ（Read Only Memory）２４８と、ディスプレイ２５０と、音声信号処理回路２７０と、マイク２７２と、スピーカ２７４と、ＬＥＤ（Light Emitting Diode）２７６と、データ通信Ｉ／Ｆ（Interface）２７８と、メモリカード駆動装置２８０と、バイブレータ２８４とを備える。メモリカード駆動装置２８０には、メモリカード２８２が装着可能である。
【００６２】
アンテナ２０８によって受信された信号は、通信装置２０２に送出される。通信装置２０２は、予め規定された処理をその信号に対して実行し、処理後の信号を、ＣＰＵ２１０に対して、デジタルデータとして送出する。
【００６３】
ある局面において、ＣＰＵ２１０は、図１に示される計時部１２０と、取得部１４０と、通知制御部１５０として機能する。具体的には、ＣＰＵ２１０は、アンテナ２０８と通信装置２０２とによって受信された信号に含まれる情報に基づいて、スピーカ２７４、ディスプレイ２５０、ＬＥＤ２７６、バイブレータ２８４の少なくともいずれかを、図１に示される通知部１６０として機能させる。より特定的には、ＣＰＵ２１０は、スピーカ２７４、ディスプレイ２５０、ＬＥＤ２７６、バイブレータ２８４の各々に対して、通知の態様に応じた命令を出力する。
【００６４】
操作ボタン２２０は、携帯電話２００の使用者による操作の指示の入力を受け付ける。操作ボタン２２０は、数字の入力を受け付けるいわゆるテンキーと、ディスプレイ２５０に表示されるカーソルの移動を指示しあるいは項目の選択を受け付けるためのボタンとを含む。操作ボタン２２０は、操作に応じた信号をＣＰＵ２１０に送出する。
【００６５】
カメラ２４０は、操作ボタン２２０に対する操作に基づいて、予め規定された撮影モードによって被写体を撮影し、その撮影により取得された信号をＣＰＵ２１０に送出する。
【００６６】
フラッシュメモリ２４４は、携帯電話２００に対して予め規定された動作を実行させるためのデータと、特定の動作の実行により生成されたデータとを格納する。当該データは、携帯電話２００が使用するＯＳ（Operating System）、各ハードウェアを作動させるためのファームウェア、特定の処理を実行するアプリケーションプログラムその他のプログラムと、ＣＰＵ２１０によって生成されたデータとを含む。生成されたデータには、たとえば携帯電話２００が着信を受けた電話の電話番号、登録されたユーザ名、送受信された電子メールその他のテキストデータ、撮影された画像データ等を含む。
【００６７】
ＲＡＭ２４６は、操作ボタン２２０に対して行なわれた操作に応じてＣＰＵ２１０によって生成されるデータを一時的に保持する。データ用ＲＯＭ２４８は、携帯電話２００によって予め定められた動作を実行させるためのデータ、あるいは各ハードウェアを作動させるためのプログラム、携帯電話２００の製造時に埋め込まれたプログラムを格納している。ＣＰＵ２１０は、データ用ＲＯＭ２４８からそれらのデータあるいはプログラムを読み出し、携帯電話２００に予め規定された処理を実行させる。
【００６８】
メモリカード駆動装置２８０は、メモリカード２８２の装着を受け付ける。メモリカード駆動装置２８０は、メモリカード２８２に格納されているデータを読み出し、その読み出したデータをＣＰＵ２１０に送出する。また、メモリカード駆動装置２８０は、ＣＰＵ２１０から送られたデータを、メモリカード２８２のメモリ領域に書き込む。このメモリ領域は、ＣＰＵ２１０によって処理中に決定される。
【００６９】
音声信号処理回路２７０は、通話のために使用される信号に対する処理を実行する。なお、ＣＰＵ２１０と音声信号処理回路２７０とが一体として構成されていてもよい。
【００７０】
ディスプレイ２５０は、ＣＰＵ２１０から出力されるデータに基づいて、そのデータによって規定される画像を表示する。たとえば、ＣＰＵ２１０がフラッシュメモリ２４４から電話番号のデータを読み出すと、ディスプレイ２５０は、表示領域にその電話番号を表示する。表示される画像は、電話番号に限られず、カメラ２４０によって撮影された被写体の画像、携帯電話２００による情報の受信を通知するために予め準備されたメッセージなども含む。これにより、ディスプレイ２５０は、通知部１６０として機能する。
【００７１】
マイク２７２は、携帯電話２００に対する発話を受けて、当該発話に応じた信号を音声信号処理回路２７０に送出する。これにより、携帯電話２００を用いた通話が実現される。
【００７２】
スピーカ２７４は、ＣＰＵ２１０からの信号に基づいて、電話の着信、メールの受信などを通知するために予め規定された音声を出力する。出力される音声および出力の態様は、電話の発信元、メールの送信元、メールの重要度に応じて異なる。
【００７３】
ＬＥＤ２７６は、ＣＰＵ２１０からの信号に基づいて予め規定された発光動作を実現する。たとえば、ＬＥＤ２７６が複数の色を表示可能な場合には、当該色を規定するためのデータに基づいてその特定の色で発光する。このデータは、ＣＰＵ２１０から出力される信号に含まれる。その結果、ＬＥＤ２７６は、通知部１６０として機能する。
【００７４】
データ通信Ｉ／Ｆ２７８は、携帯電話２００の外部から通信用のケーブルの装着を受け付ける。データ通信Ｉ／Ｆ２７８は、ＣＰＵ２１０から出力される信号を当該ケーブルに対して送出する。また、データ通信Ｉ／Ｆ２７８は、そのケーブルを介して受信される信号をＣＰＵ２１０に対して送出する。
【００７５】
バイブレータ２８４は、ＣＰＵ２１０から出力される信号に基づいて、予め規定された振動動作を実行する。この振動動作は、周波数と振幅とによって規定される。これにより、バイブレータ２８４は、通知部１６０として機能する。
【００７６】
図２に示される携帯電話２００の基本的な動作は、当業者にとって容易に理解できるものである。したがって、ここではそれらについての詳細な説明は繰り返さない。
【００７７】
なお、無線通信端末１００は携帯電話２００に限られない。たとえば、通信機能を有する携帯型コンピュータであってもよい。
【００７８】
次に、図３を参照して、本実施の形態に係る携帯電話２００のデータ構造について説明する。図３は、携帯電話２００が備えるフラッシュメモリ２４４におけるデータの格納の一態様を概念的に表わす図である。フラッシュメモリ２４４は、データを不揮発的に格納するための複数のメモリ領域を含む。
【００７９】
携帯電話２００による情報の受信を通知するために予め設定された通知パターン（たとえば、「パターン３」）は、メモリ領域３１０に格納されている。設定の対象となり得る通知パターンを特定するためのデータは、メモリ領域３２０に格納されている。その通知パターンによる通知のために使用されるデバイスを特定するためのデータは、メモリ領域３３０に格納されている。その通知パターンによって通知される態様を表わすデータは、メモリ領域３４０に格納されている。
【００８０】
メモリ領域３２０〜３４０に格納されているデータは、相互に関連付けられている。したがって、メモリ領域３２０におけるデータ（通知パターン）が特定されると、そのパターンを実現するために使用されるデバイスも特定され、さらに通知の態様も決定される。携帯電話２００は、このようにして特定されるパターンに従って、情報の受信を通知する。
【００８１】
図４は、携帯電話２００が着信を受けてから経過した時間に応じて通知動作を切り換えるためのデータの一態様を表わす図である。これらのデータも、フラッシュメモリ２４４に格納されている。
【００８２】
たとえば、着信からの経過時間を特定するためのデータは、メモリ領域４１０に格納されている。出力音量あるいは振幅値を決定するためのデータは、メモリ領域４２０に格納されている。ＬＥＤ２７６による発光のパターンを規定するデータは、メモリ領域４３０に格納されている。ＬＥＤ２７６による発光に使用される色を規定するデータは、メモリ領域４４０に格納されている。
【００８３】
ある局面において、着信を受けてからの経過時間が５秒を超えるまでは、スピーカ２７４から発せられる着信音と、バイブレータ２８４の振動とは、予め設定された基準値に従って実現される。また、ＬＥＤ２７６による発光パターンは、予め設定された基準の周期で点滅する態様となる。さらに、ＬＥＤ２７６が複数色を発光可能な場合には、携帯電話２００の使用者によって設定された色が発光する。
【００８４】
その後、上記の経過時間が５秒を超えると、スピーカ２７４から発せられる音声の音量と、バイブレータ２８４によって生成される振動の大きさは、上記基準値の１．１倍となる。さらに、ＬＥＤ２７６による点滅の周期は、上記の基準の周期の２分の１となる（すなわち、点滅する速度が速くなる）。また、ＬＥＤ２７６が発光する色は「緑色」となる。
【００８５】
図５は、携帯電話２００における電話帳の格納のパターンを表わす図である。電話帳は、携帯電話２００の使用者による操作に応じてＣＰＵ２１０によって生成され、更新され、フラッシュメモリ２４４に書き込まれる。
【００８６】
より具体的には、フラッシュメモリ２４４は、電話帳を構成する各項目が格納される複数のメモリ領域を含む。電話帳番号は、メモリ領域５１０に格納される。電話番号は、メモリ領域５２０に格納される。その電話番号に関連付けられる通信相手の名称は、メモリ領域５３０に格納される。その電話番号の持主がメールアドレスを有している場合には、そのメールアドレスは、メモリ領域５４０に格納される。携帯電話２００による着信を通知するパターンの変更の要否を規定するデータは、メモリ領域５５０に格納される。メモリ領域５２０に格納される電話番号に対して通知のパターンが規定されている場合には、そのパターンを表わすデータは、メモリ領域５６０に格納される。そのパターンが設定されていない場合には、設定されていないことを表わすデータ（たとえばＮＵＬＬ）がそのメモリ領域に格納される。
【００８７】
図６を参照して、本発明の第２の実施の形態に係る携帯電話２００の制御構造について説明する。図６は、携帯電話２００のＣＰＵ２１０が実行する一連の動作を表わすフローチャートである。
【００８８】
ステップＳ６１０にて、ＣＰＵ２１０は、通信装置２０２からの出力に基づいて、電話の着信を受けたことを検知する。ステップＳ６２０にて、ＣＰＵ２１０は、フラッシュメモリ２４４に格納されている予め登録された設定値に基づいて、音声データを音声信号処理回路２７０に送出することにより、電話の着信を報知するための音声をスピーカ２７４に出力される。
【００８９】
ステップＳ６３０にて、ＣＰＵ２１０は、内蔵するシステムクロック（図示しない）による計時を行ない、電話の着信を受けてから経過した時間を計測する。
【００９０】
ステップＳ６４０にて、ＣＰＵ２１０は、当該着信に対する応答があったか否かを判断する。この判断は、たとえば、着信に対する応答を表わす信号が操作ボタン２２０から出力されたか否かに基づいて行なわれる。ＣＰＵ２１０は、当該応答があったと判断すると（ステップＳ６４０にてＹＥＳ）、制御をステップＳ６７０に切り換える。そうでない場合には（ステップＳ６４０にてＮＯ）、制御をステップＳ６５０に切り換える。
【００９１】
ステップＳ６５０にて、ＣＰＵ２１０は、システムクロックによる計時の結果に基づいて、電話の着信を受けてから予め定められた一定時間が経過しているか否かを判断する。ＣＰＵ２１０は、一定時間が経過していると判断すると（ステップＳ６５０にてＹＥＳ）、制御をステップＳ６６０に切り換える。そうでない場合には（ステップＳ６５０にてＮＯ）、制御をステップＳ６４０に戻す。
【００９２】
ステップＳ６６０にて、ＣＰＵ２１０は、フラッシュメモリ２４４（図４）を参照して、通知のパターンを変更する。ＣＰＵ２１０は、変更後のパターンによって規定される命令を、音声信号処理回路２７０、ＬＥＤ２７６、バイブレータ２８４の少なくともいずれかに送出する。その命令が音声信号処理回路２７０に送出された場合には、スピーカ２７４は、通知のパターンの変更後に規定される出力レベルにより音声を発する。その命令がＬＥＤ２７６に送出された場合には、ＬＥＤ２７６は、パターンが変更された後の周期で点滅する。さらに、その命令がバイブレータ２８４に送出された場合には、バイブレータ２８４は、変更後のパターンで規定される振幅値あるいは周期に従って振動する。
【００９３】
ステップＳ６７０にて、ＣＰＵ２１０は、着信の通知動作を終了する命令を各要素に送出する。その命令が音声信号処理回路２７０に送出されると、スピーカ２７４は、音声の出力を停止する。その命令がＬＥＤ２７６に送出されると、ＬＥＤ２７６は、発光動作を終了する。その命令がバイブレータ２８４に送出されると、バイブレータ２８４は、振動を停止する。
【００９４】
ここで、図７を参照して、本実施の形態に係る携帯電話２００による着信の通知について説明する。図７は、着信を受けてから経過する時間に応じて音量と振動とが変更する態様を表わす図である。すなわち、着信を受けてから最初の時間が経過するまでは、予め設定された基準時に従って音声が出力され振動する（状態Ａ）。その後、着信に対する応答がない場合には、携帯電話２００は、出力する音量を大きくし、あるいは振動のパターン（振幅あるいは周期）も大きくする（状態Ｂ）。それでも応答がない場合には、音量をさらに大きくし、振動も大きくする（状態Ｃ）。このようにして、音量の出力と振動のパターンとを時間に応じて段階的に切り換えることにより、携帯電話２００は、着信に対する応答を促すことができる。
【００９５】
以上のようにして、本発明の第１の実施の形態に係る携帯電話２００は、その使用者によって予め決定された通知パターンを保持している。この通知パターンは、スピーカ２７４、ＬＥＤ２７６、ディスプレイ２５０、バイブレータ２８４等の携帯電話２００が信号の受信を通知するための通知部に関連付けられている。
【００９６】
この通知パターンは、携帯電話２００に対する設定によって、電話の着信、電子メールの受信その他の情報の受信が検知された時刻から経過した時間によって切り換えることができる。
【００９７】
携帯電話２００は、その使用者による応答が行なわれるまで、通知の態様を切り換えつつ、情報の受信を通知する。したがって、当該使用者は、その通知の態様の切り換えに基づいて、受信された情報の特質（たとえば、速やかな応答を要する相手先であるか否か、あるいは後の応答でも十分な相手先であるか否か）を容易に判断することができる。これにより、携帯電話２００による情報の受信の通知に関する利便性が向上し得る。
【００９８】
＜変形例＞
以下、本実施の形態の変形例について説明する。本変形例に係る携帯電話は、予め設定された優先度に応じて着信の通知の態様を切り換える機能を有する点で、前述の実施の形態に係る携帯電話２００と異なる。
【００９９】
なお、本変形例に係る携帯電話は、具体的には図２に示されるようなハードウェア構成を有する。そこで、以下、ハードウェア構成に言及する場合には、図２に示されるハードウェア構成が参照される。
【０１００】
最初に、図８を参照して、本変形例に係る携帯電話２００のデータ構造について説明する。図８は、本変形例に係る携帯電話として機能する携帯電話２００のフラッシュメモリ２４４におけるデータの格納の一態様を概念的に表わす図である。フラッシュメモリ２４４は、データを格納するための複数のメモリ領域を含む。
【０１０１】
予め規定された区分に応じて定められる優先度を表わすデータは、メモリ領域８１０に格納されている。当該優先度は、たとえば携帯電話２００の使用者によって決定され、操作ボタン２２０に対する操作を介して、フラッシュメモリ２４４に書き込まれる。あるいは、アンテナ２０８によって受信される情報に応じて、ＣＰＵ２１０が優先度を変更する機能を有していてもよい。この場合、ＣＰＵ２１０は、特定の発信者からの受信の頻度、あるいは、当該発信者と使用者との通話の時間、受信したデータ量に応じて、優先度を変更してもよい。
【０１０２】
着信を受けてから経過する時間を規定するデータは、メモリ領域８２０に格納されている。スピーカ２７４によって出力される音声の音量、あるいはバイブレータ２８４によって生成される振動の振幅値または周波数を規定するためのデータは、メモリ領域８３０に格納されている。
【０１０３】
ＬＥＤ２７６が発光するパターンを規定するデータは、メモリ領域８４０に格納されている。ＬＥＤ２７６によって発せられる色を規定するためのデータは、メモリ領域８５０に格納されている。
【０１０４】
図８を再び参照して、フラッシュメモリ２４４は、電話帳を格納するためのメモリ領域８６０〜８９０を含む。メモリ領域８６０〜８８０に格納されているデータは、図５に示されるメモリ領域５１０〜５３０に格納されているデータと同様である。したがって、ここではそれらについての説明は繰り返さない。
【０１０５】
優先度を表わすデータは、メモリ領域８９０に格納されている。ここで、優先度とは、携帯電話２００の通信相手の各々について設定された返信の要否の重要度を表わす概念をいう。たとえば、電話帳番号「１」について、「Ａさん」は、優先度「高い」が割り当てられている。これに対して、電話帳番号「２」についての「Ｂ株式会社」については、優先度「低い」が割り当てられている。ＣＰＵ２１０は、メモリ領域８９０に格納されているこの優先度を参照し、メモリ領域８１０に格納されている優先度と、メモリ領域８２０に格納されている経過時間とによって特定される通知パターンに応じて、スピーカ２７０による音声の出力、ＬＥＤ２７６による発光、あるいはバイブレータ２８４による振動を制御する。
【０１０６】
次に、図９を参照して、本変形例に係る携帯電話の制御構造について説明する。図９は、本変形例に係る携帯電話のＣＰＵ２１０が実行する一連の動作を表わすフローチャートである。
【０１０７】
ステップＳ９１０にて、ＣＰＵ２１０は、通信装置２０２からの出力に基づいて、電話の着信を検知する。ステップＳ９１２にて、ＣＰＵ２１０は、フラッシュメモリ２４４において予め登録されている設定値に基づいて、着信を通知するための音声をスピーカ２７４に出力させる。ステップＳ９１４にて、ＣＰＵ２１０は、通信装置２０２から出力される信号に基づいて、その電話の発信者を特定する。
【０１０８】
ステップＳ９２０にて、ＣＰＵ２１０は、その発信者の情報が電話帳に登録済みであるか否かを判断する。具体的には、ＣＰＵ２１０は、フラッシュメモリ２４４に格納されている電話帳（図８）と、上記特定した発信者とを検索することにより、その発信者の情報が電話帳に存在するか否かを確認する。ＣＰＵ２１０が、その発信者の情報は電話帳に登録されていると判断すると（ステップＳ９２０にてＹＥＳ）、制御はステップＳ９３０に切り換えられる。そうでない場合には（ステップＳ９２０にてＮＯ）、制御はステップＳ９６０に切り換えられる。
【０１０９】
ステップＳ９３０にて、ＣＰＵ２１０は、その発信者の情報をディスプレイ２５０に表示させる。ステップＳ９３２にて、ＣＰＵ２１０は、電話帳から発信者の優先度（メモリ領域８９０）を取得する。
【０１１０】
ステップＳ９４０にて、ＣＰＵ２１０は、その着信に対する応答があったか否かを判断する。この判断は、操作ボタン２２０から出力される信号の有無に基づいて行なわれる。ＣＰＵ２１０が、その応答はあったと判断すると（ステップＳ９４０にてＹＥＳ）、制御はステップＳ９８０に切り換えられる。そうでない場合には（ステップＳ９４０にてＮＯ）、制御はステップＳ９５０に切り換えられる。
【０１１１】
ステップＳ９５０にて、ＣＰＵ２１０は、優先度に応じた通知パターンを選択する。ステップＳ９５２にて、ＣＰＵ２１０は、選択した通知パターンに応じて着信を通知する。その後、制御はステップＳ９４０に戻される。
【０１１２】
ステップＳ９６０にて、ＣＰＵ２１０は、フラッシュメモリ２４４に予め登録されている設定済みの通知パターンに応じて、その着信を通知する。ステップＳ９７０にて、ＣＰＵ２１０は、その着信に対する応答があったか否かを判断する。この判断は、ステップＳ９４０における判断と同様にして行なわれる。ＣＰＵ２１０が、応答はあったと判断すると（ステップＳ９７０にてＹＥＳ）、制御はステップＳ９８０に切り換えられる。そうでない場合には（ステップＳ９７０にてＮＯ）、制御はステップＳ９６０に戻される。
【０１１３】
ステップＳ９８０にて、ＣＰＵ２１０は、着信の通知動作を終了する命令を、音声信号処理回路２７０とＬＥＤ２７６とバイブレータ２８４とにそれぞれ出力する。その結果、スピーカ２７４は音声の出力を終了する。ＬＥＤ２７６は、発光を終了する。バイブレータ２８４は、振動を終了する。
【０１１４】
以上のようにして、本変形例に係る携帯電話は、優先度を規定するデータに応じて、電話の着信、電子メールの受信などを通知する。この優先度は、携帯電話の使用者の操作によって変更することができる。このようにすると、携帯電話２００は、その使用者が認識可能な「優先度」を介して、電話の受信あるいは電子メールの着信を通知することができる。これにより、使用者は、電話の受信、電子メールの着信から経過した時間を感覚として把握することができる。使用者は、上記の通知の態様に従って、応答あるいは電子メールの返信が必要であるか否かを直感的に認識することができる。
【０１１５】
＜第２の実施の形態＞
以下、本発明の第２の実施の形態について説明する。本実施の形態に係る携帯電話は、受信した電子メールに含まれるキーワードに基づいて着信の通知の態様を切り換える機能を有する点で、前述した実施の形態に係る携帯電話と異なる。なお、本実施の形態に係る携帯電話は、前述の各実施の形態における携帯電話と同一のハードウェア構成を有する。それらの機能も同じである。したがって、ここではそれらについての説明は繰り返さない。
【０１１６】
図１０を参照して、本実施の形態に係る携帯電話のデータ構造について説明する。図１０は、フラッシュメモリ２４４におけるデータの格納の一態様を概念的に表わす図である。フラッシュメモリ２４４は、データを格納するための複数のメモリ領域１０１０〜１０３０を含む。
【０１１７】
処理の対象となるキーワードが使用されている場所を特定するためのデータは、メモリ領域１０１０に格納されている。この場所は、たとえば電子メールの表題と本文とを含む。
【０１１８】
通知の態様を切り換えるためのキーワードは、メモリ領域１０２０に格納されている。このキーワードは、たとえば操作ボタン２２０に対する操作に応じて、あるいはメモリカード駆動装置２８０またはデータ通信Ｉ／Ｆ２７８を介して入力される。使用されるキーワードは、たとえば「至急」、「要回答」、「返事を下さい」などを含む。
【０１１９】
各キーワードについて予め規定されている通知のパターンを特定するためのデータは、メモリ領域１０３０に格納されている。たとえば、キーワード「至急」が電子メールの「表題」に含まれている場合には、電子メールの受信を通知する場合「パターン１」が選択される。
【０１２０】
次に、図１１を参照して、本実施の形態に係る携帯電話の制御構造について説明する。図１１は、ＣＰＵ２１０が実行する一連の動作を表わすフローチャートである。
【０１２１】
ステップＳ１１１０にて、ＣＰＵ２１０は、通信装置２０２からの出力に基づいて、電子メールの受信を検知する。電子メールは、フラッシュメモリ２４４において確保されたメモリ領域にＣＰＵ２１０によって書き込まれる。ステップＳ１１１２にて、ＣＰＵ２１０は、フラッシュメモリ２４４に格納されている電子メールから、その表題を抽出する。
【０１２２】
ステップＳ１１２０にて、ＣＰＵ２１０は、その表題が予め登録されたキーワードを含むか否かを判断する。たとえば、この判断は、抽出された表題に対応するコードが、当該キーワードに対応するコードに一致するか否かに基づいて行なわれる。ＣＰＵ２１０が、その表題は当該キーワードを含むと判断すると（ステップＳ１１２０にてＹＥＳ）、制御はステップＳ１３３０に切り換えられる。そうでない場合には（ステップＳ１１２０にてＮＯ）、制御はステップＳ１１６０に切り換えられる。
【０１２３】
ステップＳ１１３０にて、ＣＰＵ２１０は、そのキーワードに応じた通知パターン（メモリ領域１０３０）を特定する。ステップＳ１１３２にて、ＣＰＵ２１０は、その特定された通知パターンに従って、電子メールの受信を通知する。
【０１２４】
ステップＳ１１４０にて、ＣＰＵ２１０は、受信を通知した電子メールが読まれたか否かを判断する。たとえば、この判断は、フラッシュメモリ２４４に格納される当該電子メールの未読／既読を表わすフラグの状態に基づいて行なわれる。ＣＰＵ２１０が、その電子メールは読まれたと判断すると（ステップＳ１１４０にてＹＥＳ）、制御はステップＳ１１８０に切り換えられる。そうでない場合には（ステップＳ１１４０にてＮＯ）、制御はステップＳ１１５０に切り換えられる。
【０１２５】
ステップＳ１１５０にて、ＣＰＵ２１０は、通知パターンを変更する。たとえば、ＣＰＵ２１０は、通知を行なう際に参照するメモリ領域に、使用する通知パターンを表わすデータを書き込む。
【０１２６】
ステップＳ１１５２にて、ＣＰＵ２１０は、変更後の通知パターンにより電子メールの受信を通知する。これにより、ある局面において、スピーカ２７４は、音量が大きくなった音声を出力する。ＬＥＤ２７６は、点滅する間隔を短くして、特定の色を発する。バイブレータ２８４は、振動の強さ（振幅値）あるいは間隔（周期）を短くする。その後、制御は、ステップＳ１１４０に戻される。
【０１２７】
ステップＳ１１６０にて、ＣＰＵ２１０は、フラッシュメモリ２４４において予め登録された設定済みの通知パターンに応じて、電子メールの受信を通知する。ステップＳ１１７０にて、ＣＰＵ２１０は、その電子メールが読まれたか否かを判断する。この判断は、上記したように、未読／既読を表わすフラグの状態に基づいて行なわれる。ＣＰＵ２１０が、その電子メールは読まれたと判断すると（ステップＳ１１７０にてＹＥＳ）、制御はステップＳ１１８０に切り換えられる。そうでない場合には（ステップＳ１１７０にＮＯ）、制御はステップＳ１１６０に切り換えられる。
【０１２８】
ステップＳ１１８０にて、ＣＰＵ２１０は、電子メールの受信を通知する動作を終了するための命令を各部に出力する。音声信号処理回路２７０がその命令を受けると、スピーカ２７４は、音声の出力を終了する。ＬＥＤ２７６は、その命令を受けると、点滅動作を終了する。バイブレータ２８４は、その命令を受けると、振動を終了する。
【０１２９】
以上のようにして、本発明の第２の実施の形態に係る携帯電話は、特定のキーワード、すなわち、携帯電話の使用者が意味を理解できるテキストに従って、通知の態様を切り換えることができる。これにより、使用者は、携帯電話によって通知されている情報の受信を、直感的に理解することができる。
【０１３０】
＜第３の実施の形態＞
以下、本発明の第３の実施の形態について説明する。本実施の形態に係る携帯電話は、受信した電子メールに対する返信を促す機能を有する点で、前述の各実施の形態と異なる。なお、本実施の形態に係る携帯電話は、前述の各実施の形態に係る携帯電話と同一のハードウェア構成を有する。それらの機能も同じである。したがって、ここではそれらについての説明は繰り返さない。
【０１３１】
図１２を参照して、本実施の形態に係る携帯電話のデータ構造について説明する。図１２は、フラッシュメモリ２４４におけるデータの格納の一態様を概念的に表わす図である。フラッシュメモリ２４４は、電話帳として通信に関するデータを格納するためのメモリ領域１２１０から１２２８を含む。
【０１３２】
電話帳を構成する各データ項目を特定するためのデータの一例である電話帳番号は、メモリ領域１２１０に格納されている。電話番号以外のデータが、データ項目を特定するキー項目として使用されてもよい。
【０１３３】
電話番号は、領域１２１２に格納されている。その電話番号の使用者は、メモリ領域１２１４に格納されている。その使用者が電子メールのアドレスを有する場合には、そのアドレスは、メモリ領域１２１６に格納されている。
【０１３４】
各通信相手について返信の要否を規定するためのデータは、メモリ領域１２１８に格納されている。このメモリ領域１２１８に格納されているデータが通信を必要とすることを表わしている場合には、後述する処理において、その通信相手から電子メールを受信した場合には、返信が必要であることが通知される。
【０１３５】
本実施の形態に係る携帯電話が実際に受信した電子メールを識別する番号は、メモリ領域１２２０に格納されている。その電子メールの差出人を表わすデータは、メモリ領域１２２２に格納されている。その電子メールの表題（件名）も、メモリ領域１２２４に格納されている。その電子メールを受信した日時を表わすデータは、メモリ領域１２２６に格納されている。その電子メールに対して返信の履歴を表わすデータは、メモリ領域１２２８に格納されている。
【０１３６】
たとえば、受信メール番号「１」のメールは、既にこの携帯電話によって返信されたことが記録されている。一方、受信メール番号「２」あるいは「３」については、未だ返信されていない。
【０１３７】
このようにして、本実施の形態に係る携帯電話は、各電子メールについて返信の履歴をフラッシュメモリ２４４に保持している。ＣＰＵ２１０は、システムクロックからの時刻情報と、各電子メールの受信日時とを比較することにより、電子メールに対する返信を促すことができる。
【０１３８】
そこで、図１３を参照して、本実施の形態に係る携帯電話の制御構造について説明する。図１３は、ＣＰＵ２１０が実行する一連の動作を表わすフローチャートである。
【０１３９】
ステップＳ１３１０にて、ＣＰＵ２１０は、操作ボタン２２０に対する操作に基づいて、あるいは、内蔵するシステムクロック（図示しない）による時刻の計測の結果に基づいて、未返信のメールを確認するタイミングの到来を検知する。この場合、当該タイミングは、操作ボタン２２０によって未返信の電子メールを検索する指示が与えられた時と、特定の時間が経過した時とのいずれかに相当する。他の情報が、当該タイミングの特定に使用されてもよい。たとえば、特定の送信者からの電子メールに対する返信が行なわれる前に、その送信者から送信された次の電子メールの受信が検知された時も、当該タイミングとして使用してもよい。
【０１４０】
ステップＳ１３２０にて、ＣＰＵ２１０は、フラッシュメモリ２４４を検索して、返信されていない電子メールの有無を確認する（図１２）。この確認は、各電子メールに付されているフラグの状態が返信済み／未返信のいずれであるかに基づいて行なわれる。
【０１４１】
ステップＳ１３３０にて、ＣＰＵ２１０は、ステップＳ１３２０における確認の結果に基づいて、未返信のメールが存在するか否かを判断する。ＣＰＵ２１０は、未返信のメールが存在すると判断すると（ステップＳ１３３０にてＹＥＳ）、制御をステップＳ１３４０に切り換える。そうでない場合には（ステップＳ１３３０にてＮＯ）、制御はステップＳ１３８０に切り換えられる。
【０１４２】
ステップＳ１３４０にて、ＣＰＵ２１０は、フラッシュメモリ２４４からその電子メールの受信日時を読み出す。ステップＳ１３５０にて、ＣＰＵ２１０は、その受信日時から一定時間が経過したか否かを判断する。ＣＰＵ２１０は、一定時間が受信日時から経過していると判断すると（ステップＳ１３５０にてＹＥＳ）、制御を、ステップＳ１３６０に切り換える。そうでない場合には（ステップＳ１３５０にてＮＯ）、制御はステップＳ１３７０に切り換えられる。
【０１４３】
ステップＳ１３６０にて、ＣＰＵ２１０は、受信したメールに対する返信を促すメッセージを生成する。たとえば、ＣＰＵ２１０は、予め準備されたデータを用いて当該メッセージを生成する。
【０１４４】
ステップＳ１３７０にて、ＣＰＵ２１０は、未返信のメールが存在することを通知するメッセージを生成する。このメッセージも、ステップＳ１３６０におけるメッセージの生成と同様にして、予め準備されたデータを用いて生成される。
【０１４５】
ステップＳ１３８０にて、ＣＰＵ２１０は、未返信のメールが存在しないことを通知するメッセージを生成する。このメッセージも、ステップＳ１３６０におけるメッセージの生成と同様にして、予め準備されたデータを用いて生成される。
【０１４６】
ステップＳ１３９０にて、ＣＰＵ２１０は、生成したメッセージをディスプレイ２５０に表示させる。
【０１４７】
次に、図１４を参照して、本実施の形態に係る携帯電話における画面の表示態様について説明する。図１４は、ディスプレイ２５０が表示するメッセージの切り換えを表わす図である。
【０１４８】
まず、ＣＰＵ２１０が未返信のメールの存在を検知すると（ステップＳ１３３０にてＹＥＳ）、受信日時から一定時間が経過している場合には（ステップＳ１３５０にてＹＥＳ）、返信を促すメッセージを生成し、そのメッセージをディスプレイ２５０に表示させる（ステップＳ１３６０、Ｓ１３９０）。
【０１４９】
ここで、携帯電話の使用者が画面１４１０に表示されたアイコン「一覧を表示」を押下すると、ディスプレイ２５０は、表示する画面を切り換える。具体的には、ディスプレイ２５０は、画面１４２０を表示する。画面１４２０は、未返信のメールの一覧を表わす。詳細には、ディスプレイ２５０は、未返信のメールの送信者と、そのメールの受信日時と、そのメールの表題（件名）とを表示する。
【０１５０】
以上のようにして、本発明の第３の実施の形態に係る携帯電話は、受信した電子メールの各々について、返信が行なわれたか否かを判断する。この判断は、特定の操作が操作ボタン２２０に対して入力された時、予め定められた時間が経過した時に行なわれる。
【０１５１】
未返信の電子メールが存在する場合には、携帯電話は、その旨を通知するメッセージをディスプレイ２５０に表示する。このようにすると、返信が行なわれていない電子メールに対する未返信が防止される。特に、返信を要する電子メールに対する返信の忘れが防止される。
【０１５２】
＜変形例＞
以下、本実施の形態の変形例について説明する。本変形例に係る携帯電話は、返信されていない電子メールを優先度ごとに集計して集計結果を表示する機能を有する点で、前述の各実施の形態と異なる。なお、本変形例に係る携帯電話は、前述の各実施の形態に係る携帯電話と同一のハードウェア構成を有する。それらの機能も同じである。したがって、ここではそれらについての説明は繰り返さない。
【０１５３】
まず、図１５を参照して、本変形例に係る携帯電話のデータ構造について説明する。図１５は、フラッシュメモリ２４４におけるデータの格納の一態様を概念的に表わす図である。フラッシュメモリ２４４は、電話帳を構成するデータを格納するための複数のメモリ領域を含む。
【０１５４】
ある局面において、電話帳番号はメモリ領域１５１０に格納されている。このデータは、図８におけるメモリ領域８６０に格納されるデータに対応する。電話番号は、メモリ領域１５２０に格納される。このデータは、メモリ領域８７０に格納されるデータに相当する。氏名は、メモリ領域１５３０に格納される。このデータは、メモリ領域８８０に格納されるデータに対応する。メールアドレスは、メモリ領域１５４０に格納される。このデータは、メモリ領域１２１６（図１２）に格納されるデータに対応する。
【０１５５】
返信の優先度を表わすデータは、メモリ領域１５５０に格納される。このデータは、メモリ領域８９０（図８）に示されるデータに対応する。ＣＰＵ２１０は、返信が行なわれてないメールの存在を検知した場合、返信の優先度（メモリ領域１５５０）に基づいて各メールの数を集計し、その集計結果をディスプレイ２５０に表示する。
【０１５６】
したがって、本変形例に係る携帯電話の使用者は、各発信者ごとに電子メールの返信状況を確認することができる。
【０１５７】
次に、図１６を参照して、本変形例に係る携帯電話の制御構造について説明する。図１６は、ＣＰＵ２１０が実行する一連の動作を表わすフローチャートである。
【０１５８】
ステップＳ１６１０にて、ＣＰＵ２１０は、操作ボタン２２０に対する操作に基づいて、あるいはシステムクロック（図示しない）による計時の結果に基づいて、フラッシュメモリ２４４に格納されている未返信のメールを確認するタイミングの到来を検知する。ステップＳ１６２０にて、ＣＰＵ２１０は、フラッシュメモリ２２４を検索して、返信されていない電子メールの有無を確認する。
【０１５９】
ステップＳ１６３０にて、ＣＰＵ２１０は、その確認の結果に基づいて、未返信のメールがフラッシュメモリ２４４に存在するか否かを判断する。ＣＰＵ２１０が、未返信のメールは存在すると判断すると（ステップＳ１６３０にてＹＥＳ）、制御はステップＳ１６４０に切り換えられる。そうでない場合には（ステップＳ１６３０にてＮＯ）、処理は終了する。
【０１６０】
ステップＳ１６４０にて、ＣＰＵ２１０は、複数のメールに対する返信が未完了であるか否かを判断する。ＣＰＵ２１０が、その返信は未完了であると判断すると（ステップＳ１６４０にてＹＥＳ）、制御はステップＳ１６５０に切り換えられる。そうでない場合には（ステップＳ１６４０にてＮＯ）、制御はステップＳ１６７０に切り換えられる。
【０１６１】
ステップＳ１６５０にて、ＣＰＵ２１０は、メールの送信者の優先度（メモリ領域１５５０）ごとに、返信がされていないメールの数を集計する。ステップＳ１６６０にて、ＣＰＵ２１０は、当該優先度ごとに、未返信のメールの数をディスプレイ２５０に表示させる。
【０１６２】
ステップＳ１６７０にて、ＣＰＵ２１０は、メモリ領域１２２６から、そのメールの受信日時を読み出す。ステップＳ１６８０にて、ＣＰＵ２１０は、返信を促すメッセージをディスプレイ２５０に表示させる。
【０１６３】
ここで、図１７を参照して、本実施の形態に係る携帯電話におけるメッセージの表示態様について説明する。図１７は、ディスプレイ２５０に表示される画面の切り換えを表わす図である。
【０１６４】
携帯電話が状態Ａである場合、ディスプレイ２５０は、優先度ごとに未返信のメールがあることを通知するための画面を表示する（画面１７１０）。携帯電話の使用者が操作ボタン２２０を操作して優先度に付された番号を切り換えて選択すると、選択された優先度についての具体的な電子メールが表示される。たとえば図１７においては、状態Ｂとして、優先度が高い未返信のメールの表示が選択されると、ディスプレイ２５０は、そのメールの一覧を表示する（画面１７２０）。
【０１６５】
以上のようにして、本変形例に係る携帯電話は、電子メールの返信状況を優先度ごとに、表示することができる。また、携帯電話は、各優先度ごとの集計結果の内訳（図１７）も表示できる。これにより、携帯電話の使用者は、返信を要するが未返信の電子メールに対して、優先的に返信すべき電子メールを容易に特定することができる。これにより、電子メールの返信の効率が向上し得る。
【０１６６】
＜第４の実施の形態＞
以下、本発明の第４の実施の形態について説明する。本実施の形態に係る携帯電話は、位置の検出機能と通知機能とを有する点で、前述の各実施の形態と異なる。なお、その他の機能は、たとえば図２に示されるハードウェア構成を用いて実現される。また、位置の検出機能と通知機能とは、図２におけるＣＰＵ２１０が各機能を実現する処理を実行することによって実現される。そこで、以下の説明において具体的なハードウェア構成に言及するときは、図２に示される構成を参照する。
【０１６７】
まず、図１８を参照して、本実施の形態に係る携帯電話の使用態様について説明する。図１８は、位置を測定する機能を有する携帯電話１８００の移動を表わす図である。
【０１６８】
携帯電話１８００は、予め登録された場所（以下、「登録エリア」）１８４０に存在している。携帯電話１８００は、基地局１８１０と通信する。基地局１８１０は、中継局１８２０に接続されている。中継局１８２０は、家１８３０に接続されている。家１８３０は、固定電話１８３２と携帯電話１８３４とを含む。携帯電話１８３４は、携帯電話１８００と通話可能な状態である。
【０１６９】
携帯電話１８００は、上空を航行する複数のＧＰＳ衛星１８６０−１〜１８６０−４によって送信される各電波を受信する。携帯電話１８００は、少なくとも３つ以上のＧＰＳ衛星から、好ましくは４つのＧＰＳ衛星から、各電波を受信したときに、位置情報を算出することができる。各電波は、測位のための情報（たとえばアルマナックデータ、エフェメリスデータ）を含む。なお、衛星航法システムについては当業者にとって容易に理解できるものである。したがって、ここではそれらについての詳細な説明を繰り返さない。
【０１７０】
携帯電話１８００は、登録エリア１８４０にいる間、ＧＰＳ衛星１８６０−１から１８６０−４によって送信された電波を受信し、その電波に基づいて受信位置を算出する。携帯電話１８００は、その位置を算出すると、基地局１８１０を介して家１８３０に設置されている固定電話１８３２あるいは携帯電話１８３４に発信する。あるいは、携帯電話１８００は、位置情報を有する電子メールを作成し、予め登録されたメールアドレスにそのメールを送信する。
【０１７１】
その後、携帯電話１８００が登録エリア１８４０から未登録エリア１８５０に移動すると、ＧＰＳ衛星１８６０−１から１８６０−４によって送信された電波を再度受信し、移動後の位置を特定する（この位置における携帯電話１８００を携帯電話１８００−２と表わす）。
【０１７２】
携帯電話１８００−２は、その位置における位置情報を算出すると、基地局１８１０を介して固定電話１８３２あるいは携帯電話１８３４にその位置情報を送信する。あるいは、携帯電話１８００−２は、その位置情報を有する電子メールを携帯電話１８３４その他の電子メールを受信可能な通信装置に送信する。
【０１７３】
次に、図１９を参照して、本実施の形態に係る携帯電話１８００の構成について説明する。図１９は、携帯電話１８００によって実現される機能の構成を表わすブロック図である。携帯電話１８００は、受信部１９１０と、位置情報算出部１９２０と、入力部１９３０と、エリアデータ記憶部１９４０と、位置確認部１９５０と、報告データ生成部１９６０と、送信部１９７０と、表示部１９８０とを備える。
【０１７４】
受信部１９１０は、無線電話あるいはＧＰＳ衛星１８６０−１から１８６０−４によって送信された電波を受信する。受信部１９１０によって受信された信号は、位置情報算出部１９２０に送出される。
【０１７５】
位置情報算出部１９２０は、各ＧＰＳ衛星１８６０−１から１８６０−４によって送信された電波に含まれる情報を用いて、携帯電話１８００の位置を算出する。この位置情報の算出は、当業者にとって周知である。したがって、ここではそれらについての説明は繰り返さない。位置情報算出部１９２０によって算出された位置情報（たとえば緯度、経度、高度）は、位置確認部１９５０に送出される。
【０１７６】
入力部１９３０は、携帯電話１８００の使用者による操作の入力を受け付ける。入力部１９３０は、たとえばテンキーその他のボタンあるいはジョグダイヤルその他の入力インターフェイスとして実現される。入力部１９３０に対する操作は、信号に変換され、位置情報算出部１９２０に送出される。また、入力部１９３０は、他の局面においてはデータの入力を受け付ける。入力されたデータは、エリアデータ記憶部１９４０に格納される。
【０１７７】
エリアデータ記憶部１９４０は、携帯電話１８００の移動し得る位置として予め特定された範囲を表わす情報を格納する。エリアデータ記憶部１９４０に係るデータ構造については後述する。
【０１７８】
位置確認部１９５０は、位置情報算出部１９２０からの出力とエリアデータ記憶部１９４０に格納されているデータとに基づいて作動するように構成されている。具体的には、位置確認部１９５０は、位置情報算出部１９２０によって算出された位置情報と、エリアデータ記憶部１９４０に格納されている登録情報とを比較することにより、携帯電話１８００が予め特定された場所に存在するか否かを判断する。位置確認部１９５０による処理の結果は、報告データ生成部１９６０に送出される。
【０１７９】
報告データ生成部１９６０は、携帯電話１８００の位置の確認の結果を報告するためのデータを生成する。より特定的には、報告データ生成部１９６０は、携帯電話１８００を識別するためのデータと、携帯電話１８００が予め特定された範囲内に存在するか否かを表わすデータとを有するメッセージを生成する。
【０１８０】
位置情報算出部１９２０と位置確認部１９５０と報告データ生成部１９６０とは、ＣＰＵ２１０によって実現される。この場合、ＣＰＵ２１０は、各処理が行なわれる段階を検知し、位置情報算出部１９２０について規定される処理と、位置確認部１９５０について規定される処理と、報告データ生成部１９６０について規定される処理とを、その段階に応じて実行する。
【０１８１】
なお、別の局面においては、位置情報算出部１９２０によって実行される演算は、携帯電話１８００が通信可能な外部の情報処理装置によっても実現され得る。この場合、携帯電話１８００は、その演算に必要なデータを、送信部１９７０から当該情報処理装置に送信し、上記の演算の結果を、当該情報処理装置から受信する。
【０１８２】
送信部１９７０は、報告データ生成部１９６０によって生成されたデータを、予め登録された相手先に送信する。予め登録された送信先は、たとえば固定電話１８３２あるいは携帯電話１８３４に相当する。ある局面においては、送信部１９７０は、報告データ生成部１９６０によって生成されたデータを電子メールの形式で送信する。他の局面においては、送信部１９７０は、報告データ生成部１９６０によって生成された結果を音声で通知するデータを生成し、電話の発信という形式で上記登録先に送信する。
【０１８３】
表示部１９８０は、報告データ生成部１９６０によって生成されたデータを表示する。ある局面においては、表示部１９８０は、携帯電話１８００の位置を表わす文字情報を表示する。他の局面においては、表示部１９８０は、上記情報に加えて、さらに予め特定された範囲に存在しないことを表わすメッセージを表示する。
【０１８４】
次に、図２０を参照して、範囲の特定の対応について説明する。図２０は、登録エリア１８４０を具体的に特定するための一態様を表わす図である。登録エリア１８４０は、予め定められた緯度と経度を起点に、一定の範囲で細分化されたマトリックス上のエリアの集合として表わす。具体的には、基準の位置として、たとえば（北緯Ｎ度、東経Ｅ度）が使用される。１単位となるエリアを特定するために、この基準の位置から緯度についてｘ度および経度についてｙ度が規定される。その結果、たとえばエリア２０１０についてはその範囲は（北緯Ｎ度，東経Ｅ度）から（北緯（Ｎ＋ｘ）度，東経（Ｅ＋ｙ）度）として表わされる。エリア２０２０については、その範囲は（北緯Ｎ度、東経（Ｅ＋ｙ）度）、（北緯（Ｎ＋ｘ）度、東経（Ｅ＋２）度）として表わされる。エリア２０３０についても同様である。
【０１８５】
次に、図２１を参照して、本実施の形態に係る携帯電話１８００のデータ構造について説明する。図２１は、エリアデータ記憶部１９４０におけるデータの格納の一態様を概念的に表わす図である。エリアデータ記憶部１９４０は、データを格納するための複数のメモリ領域を含む。
【０１８６】
予め登録された電子メールの送信先は、メモリ領域２１１０に格納されている。予め登録された電話番号（たとえば固定電話１８３２の電話番号）は、メモリ領域２１２０に格納されている。
【０１８７】
登録エリア１８４０を特定するための情報は、メモリ領域２１３０から２１５０に格納されている。具体的には、各エリア番号（たとえば図２０に示されるエリア２０１０〜２０３０など）を特定するためのデータは、メモリ領域２１３０に格納されている。当該エリアの範囲を特定するためのデータ（たとえば矩形の領域における短点の座標値）は、メモリ領域２１４０，２１５０にそれぞれ格納されている。たとえば、第１のエリアがエリア２０１０に相当する場合、その範囲を特定するデータは、前述のように（北緯Ｎ度、東経Ｅ度）および（北緯（Ｎ＋ｘ）度、東経（Ｅ＋ｙ）度）として表わされる。
【０１８８】
次に、図２２を参照して、本実施の形態に係る携帯電話１８００の制御構造について説明する。図２２は、携帯電話１８００として機能する携帯電話２００のＣＰＵ２１０が実行する一連の動作を表わすフローチャートである。
【０１８９】
なお、本実施の形態に係る携帯電話１８００は、ある局面においては、図２に示されるハードウェア構成を有する携帯電話２００によって実現される。そこで、以下の説明では、図２に示されるハードウェア構成を用いて説明する。
【０１９０】
ステップＳ２２１０にて、ＣＰＵ２１０は、通信装置２０２を介して、測位のための信号をＧＰＳ衛星１８６０−１から１８６０−４から受信する。ステップＳ２２２０にて、ＣＰＵ２１０は、その信号を用いて予め規定された演算を実行し、携帯電話１８００の位置を表わす位置情報を算出する。携帯電話１８００が位置情報を算出するためのプロセッサをＣＰＵ２１０とは別個に有する場合には、ＣＰＵ２１０は、そのプロセッサを用いて位置情報を算出する。また他の局面において、携帯電話２００は位置情報を算出する他のサーバ装置と通信することにより、その信号に基づく位置情報を取得する。
【０１９１】
ステップＳ２２３０にて、ＣＰＵ２１０は、携帯電話１８００が登録エリア１８４０に存在するか否かを判断する。具体的には、ＣＰＵ２１０は、算出した位置情報が図２１に示される各エリアの位置を表わすデータ内に含まれるか否かを確認することにより行なわれる。ＣＰＵ２１０が、携帯電話１８００は登録エリア１８４０に存在していると判断すると（ステップＳ２２３０にてＹＥＳ）、制御はステップＳ２２４０に切り換えられる。そうでない場合には（ステップＳ２２３０にてＮＯ）、制御はステップ２２５０に切り換えられる。
【０１９２】
ステップＳ２２４０にて、ＣＰＵ２１０は、携帯電話１８００が登録エリア１８４０の範囲内に存在していることを表わすメッセージを生成する。ステップＳ２２５０にて、ＣＰＵ２１０は、携帯電話１８００が登録エリア１８４０の範囲内に存在していないことを表わすメッセージを生成する。
【０１９３】
ステップＳ２２６０にて、ＣＰＵ２１０は、予め登録されたメールアドレス（たとえばメモリ領域２１１０に、その生成したメッセージを送信する。送信されるメッセージの具体的構成は、後述する（図２３）。
【０１９４】
ステップＳ２２７０にて、ＣＰＵ２１０は、そのメッセージを送信したことを通知するメッセージをさらに生成する。ステップＳ２２８０にて、ＣＰＵ２１０は、ステップＳ２２７０にて生成したメッセージをディスプレイ２５０に表示させる。
【０１９５】
図２３を参照して、携帯電話１８００から発信されるメッセージの構成について説明する。図２３は、ステップＳ２２６０にて生成したメッセージの送信のためのフレーム２３００を表わす図である。フレーム２３００は、ヘッダ２３１０と、データ２３２０と、ＦＣＳ（Frame Check Sequence）２３３０とを含む。
【０１９６】
ヘッダ２３１０は、宛先アドレスと送信元アドレスとフレーム２３００の送信日時とを含む。データ２３２０は、フレーム２３００の送信元である携帯電話１８００の携帯電話の番号と、ステップＳ２２２０にて算出された現在地（たとえば北緯Ｎ度、東経Ｅ度）と、測位が行なわれた日時（２００６年９月７日）とを含む。
【０１９７】
このようなフレーム２３００を受信する他の通信装置、たとえば、携帯電話１８３４は、携帯電話１８００の位置を速やかに知ることができる。そのフレーム２３００の受信者は、その位置が予め想定された範囲内であるか否かを、容易に知ることができる。その結果、移動体の場所を簡易に把握することができる。ここで、移動体は、車両、人を含む。また、他の局面においては、車両に牽引されることによって無人で搬送される貨物等であってもよい。
【０１９８】
なお、本実施の形態において携帯電話１８００の位置を確認する単位として、地表の座標値（すなわち、緯度、経度、高度）が使用されたが、その他の範囲が使用されてもよい。たとえば、携帯電話の基地局を識別するコードが使用されてもよい。
【０１９９】
以上のようにして、本発明の第４の実施の形態に係る携帯電話１８００は、位置の検出機能と通知機能とを有する。したがって、他の情報通信装置は、携帯電話１８００について想定される移動範囲を、移動可能範囲として記憶しておくことにより、携帯電話１８００が想定される範囲内に存在するか否かを容易に把握することができる。
【０２００】
上記の各実施の形態に係る携帯電話が情報の受信を通知する動作は、演算処理を実行するプロセッサが、メモリに予め格納されているデータおよびプログラムを用いて、特定の処理を実行することにより実現される。当該データおよびプログラムは、携帯電話の製造時にメモリに書き込まれることもあれば、図２に示される通信装置２０２、データ通信Ｉ／Ｆ２７８あるいはメモリカード２８２を用いて取得可能である。取得されたデータおよびプログラムは、フラッシュメモリ２４４に格納され、実行可能なデータ形式に変換されてＲＡＭ２４６のメモリ領域に書き込まれる。ＣＰＵ２１０は、ＲＡＭ２４６に書き込まれたデータおよびプログラムを用いて、上述の各処理を実行し、音声信号処理回路２７０、ディスプレイ２５０、ＬＥＤ２７６、バイブレータ２８４の各ハードウェアに信号を送出する。したがって、本発明のもっとも本質的な部分は、フラッシュメモリ２４４、ＲＡＭ２４６、データ用ＲＯＭ２４８、メモリカード２８２のようなデータ記録媒体に格納されたデータおよびプログラム、または、通信装置２０２あるいはデータ通信Ｉ／Ｆ２７８を介してダウンロード可能なデータおよびプログラムともいえる。
【０２０１】
したがって、本発明は、上記のデータおよびプログラムを格納したメモリと、そのデータおよびプログラムを用いた演算処理を実行するプロセッサとを備える周知のコンピュータによって実現される。なお、コンピュータのハードウェア構成および動作は周知であるため、その説明はここでは述べない。
【０２０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０２０３】
本発明は、携帯電話その他の情報通信端末に適用可能である。
【図面の簡単な説明】
【０２０４】
【図１】本発明の第１の実施の形態に係る無線通信端末１００によって実現される機能の構成を表わすブロック図である。
【図２】無線通信端末１００の一態様である携帯電話２００のハードウェア構成を表わすブロック図である。
【図３】携帯電話２００が備えるフラッシュメモリ２４４におけるデータの格納の一態様を概念的に表わす図である。
【図４】携帯電話２００が着信を受けてから経過した時間に応じて通知動作を切り換えるためのデータの一態様を表わす図である。
【図５】携帯電話２００における電話帳の格納のパターンを表わす図である。
【図６】本発明の第１の実施の形態に係る携帯電話２００のＣＰＵ２１０が実行する一連の動作を表わすフローチャートである。
【図７】本発明の第１の実施の形態に係る携帯電話２００が着信を受けてから経過する時間に応じて音量と振動とが変更する態様を表わす図である。
【図８】本発明の第１の実施の形態の変形例に係る携帯電話２００のフラッシュメモリ２４４におけるデータの格納の一態様を概念的に表わす図である。
【図９】本発明の第２の実施の形態の変形例に係る携帯電話を実現するＣＰＵ２１０が実行する一連の動作を表わすフローチャートである。
【図１０】本発明の第２の実施の形態に係る携帯電話のフラッシュメモリ２４４におけるデータの格納の一態様を概念的に表わす図である。
【図１１】本発明の第２の実施の形態に係る携帯電話を実現するＣＰＵ２１０が実行する一連の動作を表わすフローチャートである。
【図１２】本発明の第３の実施の形態に係る携帯電話のフラッシュメモリ２４４におけるデータの格納の一態様を概念的に表わす図である。
【図１３】本発明の第３の実施の形態に係る携帯電話を実現するＣＰＵ２１０が実行する一連の動作を表わすフローチャートである。
【図１４】本発明の第３の実施の形態に係る携帯電話のディスプレイ２５０が表示するメッセージの切り換えを表わす図である。
【図１５】本発明の第３の実施の形態の変形例に係る携帯電話のフラッシュメモリ２４４におけるデータの格納の一態様を概念的に表わす図である。
【図１６】本発明の第３の実施の形態の変形例に係る携帯電話のＣＰＵ２１０が実行する一連の動作を表わすフローチャートである。
【図１７】本発明の第３の実施の形態に係る携帯電話のディスプレイ２５０に表示される画面の切り換えを表わす図である。
【図１８】本発明の第４の実施の形態に係る携帯電話の移動を表わす図である。
【図１９】本発明の第４の実施の形態に係る携帯電話１８００によって実現される機能の構成を表わすブロック図である。
【図２０】登録エリア１８４０を具体的に特定するための一態様を表わす図である。
【図２１】本発明の第４の実施の形態に係る携帯電話１８００のエリアデータ記憶部１９４０におけるデータの格納の一態様を概念的に表わす図である。
【図２２】本発明の第４の実施の形態に係る携帯電話１８００を実現するＣＰＵ２１０が実行する一連の動作を表わすフローチャートである。
【図２３】本発明の第４の実施の形態に係る携帯電話１８００から発信されるフレーム２３００を表わす図である。
【符号の説明】
【０２０５】
１００，１８００，１８３４  無線通信端末、２００  携帯電話、２０８  アンテナ、２８２  メモリカード、１８６０−１〜１８６０−４  ＧＰＳ衛星、１８３０  家、１８３２  固定電話、２３００  フレーム。
【図１】
2008099000.tif 000003
【図２】
2008099000.tif 000004
【図３】
2008099000.tif 000005
【図４】
2008099000.tif 000006
【図５】
2008099000.tif 000007
【図６】
2008099000.tif 000008
【図７】
2008099000.tif 000009
【図８】
2008099000.tif 000010
【図９】
2008099000.tif 000011
【図１０】
2008099000.tif 000012
【図１１】
2008099000.tif 000013
【図１２】
2008099000.tif 000014
【図１３】
2008099000.tif 000015
【図１４】
2008099000.tif 000016
【図１５】
2008099000.tif 000017
【図１６】
2008099000.tif 000018
【図１７】
2008099000.tif 000019
【図１８】
2008099000.tif 000020
【図１９】
2008099000.tif 000021
【図２０】
2008099000.tif 000022
【図２１】
2008099000.tif 000023
【図２２】
2008099000.tif 000024
【図２３】
2008099000.tif 000025